(57)【要約】【課題】ビルトインコンロ下方の収納空間の収納量を多くし得るビルトインコンロの配管構造及びビルトインコンロを提供する。【解決手段】トッププレート１の下方に機器収納用のケーシング２を備えたビルトインコンロＣが、取り付け対象カウンター４に形成した開口５を通してケーシング２を凹入させる状態で設置され、そのビルトインコンロＣのケーシング２に装備したガス管接続部に、ガス栓付管継手Ｔが接続されたビルトインコンロの配管構造であって、ガス栓付管継手Ｔが、側面視にてケーシング２に重複する状態で配備されている。【選択図】図３
2007298224.tif 000002
【特許請求の範囲】
【請求項１】
トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたビルトインコンロの配管構造であって、
前記ガス栓付管継手が、正面視又は側面視において前記ケーシングに重複する状態で配備されているビルトインコンロの配管構造。
【請求項２】
トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたビルトインコンロの配管構造であって、
前記ガス栓付管継手が、正面視において前記ケーシングに重複し且つ前記トッププレートに形成の排気用開口を通してガス栓を操作可能となる状態で、前記ケーシングの背部に配備されているビルトインコンロの配管構造。
【請求項３】
トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたビルトインコンロの配管構造であって、
前記ガス栓付管継手が、側面視及び平面視において前記ケーシングに重複し且つ前記ケーシングの前面に形成した開口を通して又は前記ケーシングの下方空間を通して、ガス栓を操作可能となる状態で、前記ケーシングの底部における前方側箇所に形成した管継手用凹入部に配備されているビルトインコンロの配管構造。
【請求項４】
前記ガス栓付管継手に接続するガス管が、側面視及び平面視にて前記ケーシングに重複する状態で、前記管継手用凹入部に連通する状態で前記ケーシングの底部に形成されたガス管用凹入部に配備されている請求項３記載のビルトインコンロの配管構造。
【請求項５】
トッププレートの下方の機器収納用のケーシングを取り付け対象カウンターに形成した開口を通して凹入させる状態で設置され、且つ、ガス栓付管継手が接続されるガス管接続部が、前記ケーシングに装備されたビルトインコンロであって、
前記ガス栓付管継手を凹入する状態で配備する管継手用凹入部が、前記ケーシングの底部における前方側箇所に形成され、前記ガス管接続部が、前記管継手用凹入部に臨む状態で設けられているビルトインコンロ。
【請求項６】
前記ガス栓付管継手に接続するガス管を凹入する状態で配備するガス管用凹入部が、前記管継手用凹入部に連通する状態で前記ケーシングの底部に形成されている請求項５記載のビルトインコンロ。
【発明の詳細な説明】
【技術分野】
【０００１】
本発明は、トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたビルトインコンロの配管構造、及び、トッププレートの下方の機器収納用のケーシングを取り付け対象カウンターに形成した開口を通して凹入させる状態で設置され、且つ、ガス栓付管継手が接続されるガス管接続部が、前記ケーシングに装備されたビルトインコンロに関する。
【背景技術】
【０００２】
このようなビルトインコンロにおいて、従来は、ビルトインコンロのケーシングの底面を平坦状又は略平坦状に形成して、ガス管接続部を、ケーシングの底面からその外部に臨む状態でケーシングに装備し、そのガス管接続部にガス栓付管継手を接続することにより、ガス栓付管継手を、側面視及び正面視においてケーシングよりも下方に位置するように、即ち、ケーシングの平坦状又は略平坦状の底面から下方に出っ張るように配備していた。
そして、ガス管を、ケーシングの下方においてその奥側から前方側に向けて設けて、ガス栓付管継手に接続していた（例えば、特許文献１参照。）。
【０００３】
つまり、前記特許文献１には明確には記載されていないが、このようなビルトインコンロは、取り付け対象カウンターの下方における横方向の規定の設置スペース内に設置する必要があり、又、ガス栓付管継手を露出させないように設けて美観性を損なわないようにする必要があることから、上述のように、ガス栓付管継手を側面視及び正面視においてケーシングよりも下方に位置するように設けることにより、ガス栓付管継手がケーシングから横方向に出っ張らないようにして、ビルトインコンロを前記規定の設置スペース内に設置できるようにすると共に、ガス栓付管継手がケーシングから上方や前方に出っ張らないようにして、美観性を損なわないようにしていた。
【０００４】
【特許文献１】特開２０００−３０４２６５号公報
【発明の開示】
【発明が解決しようとする課題】
【０００５】
ところで、このようなビルトインコンロを設置するシステムキッチン等においては、設置されたビルトインコンロの下方の空間を、調理用具等の物品を収納する収納空間とするように構成する。
つまり、収納空間の前方を開閉するように扉を設けることにより、キャビネット式の収納部を設けたり、収納空間に、前後方向に出退自在な引き出し部を上下複数段に設けることにより、引出式の収納部を設けることになる。
【０００６】
しかしながら、従来のビルトインコンロ及びそのビルトインコンロの配管構造では、ガス栓付管継手をケーシングの平坦状又は略平坦状の底面から下方に出っ張るように配備することから、ガス栓付管継手がビルトインコンロ下方の収納空間内に位置することになるので、その収納空間での収納量が少なくなるという問題があった。
つまり、キャビネット式の収納部を設ける場合は、ガス栓付管継手がビルトインコンロ下方の収納空間内に入り込んでその収納空間の一部を専有するので、その収納空間での収納量が少なくなり、又、引出式の収納部を設ける場合は、その引き出し部の奥行を、ビルトインコンロ下方の収納空間における前端からガス栓付管継手の設置箇所の手前までに相当する長さにする必要があるので、引き出し部の奥行が短くなり、収納空間での収納量が少なくなる。
【０００７】
本発明は、かかる実情に鑑みてなされたものであり、その目的は、ビルトインコンロ下方の収納空間の収納量を多くし得るビルトインコンロの配管構造及びビルトインコンロを提供することにある。
【課題を解決するための手段】
【０００８】
〔ビルトインコンロの配管構造について〕
本発明のビルトインコンロの配管構造の第１特徴構成は、トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたものであって、
前記ガス栓付管継手が、正面視又は側面視において前記ケーシングに重複する状態で配備されている点を特徴とする。
【０００９】
即ち、ガス栓付管継手が、正面視又は側面視においてケーシングに重複する状態で配備されていることから、ガス栓付管継手を、ケーシングから横方向、上方向及び前方向に出っ張らない、又は、ケーシングから上方向及び前方向に出っ張らず且つ取り付け対象カウンターの下方における横方向の規定の設置スペースから横方向に出っ張らないのは勿論のこと、ケーシングから下方向にも出っ張らない状態で設けることが可能となる。
【００１０】
そして、ガス栓付管継手をビルトインコンロ下方の収納空間内に出っ張らないように設けることができるので、その収納空間での収納量を多くすることができる。
つまり、キャビネット式の収納部を設ける場合は、ガス栓付管継手がビルトインコンロ下方の収納空間内に入り込んでその収納空間の一部を専有することがないので、その収納空間での収納量を多くすることが可能となり、又、引出式の収納部を設ける場合は、その引き出し部の奥行を、ビルトインコンロ下方の収納空間における前端から後端又は後端近くまでに相当する長さにすることが可能となるので、引き出し部の奥行を長くすることができ、収納空間での収納量を多くすることが可能となる。
従って、ビルトインコンロ下方の収納空間の収納量を多くし得るビルトインコンロの配管構造を提供することができるようになった。
【００１１】
本発明のビルトインコンロの配管構造の第２特徴構成は、トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたものであって、
前記ガス栓付管継手が、正面視において前記ケーシングに重複し且つ前記トッププレートに形成の排気用開口を通してガス栓を操作可能となる状態で、前記ケーシングの背部に配備されている点を特徴とする。
【００１２】
即ち、ガス栓付管継手が、正面視においてケーシングに重複し且つトッププレートに形成の排気用開口を通してガス栓を操作可能となる状態で、ケーシングの背部に配備されていることから、ガス栓付管継手を、ケーシングから横方向、上方向及び前方向に出っ張らないのは勿論のこと、ケーシングから下方向にも出っ張らない状態で設けながらも、排気用開口を通してガス栓を操作することができる。
【００１３】
つまり、このようなビルトインコンロにはグリル部を設けるものであり、又、ビルトインコンロの下方にオーブンを設ける場合もあるので、そのグリル部からの排ガスやオーブンからの排ガスを排出するように、排気用開口をトッププレートにおける後部側の箇所に形成する。
そこで、ガス栓付管継手を、ケーシングから上方向に出っ張らせない状態で、トッププレートの排気用開口を通してガス栓を容易に操作することが可能なように設けることができるのである。
【００１４】
そして、ガス栓付管継手をビルトインコンロ下方の収納空間内に出っ張らないように設けることができるので、その収納空間での収納量を多くすることができる。
つまり、キャビネット式の収納部を設ける場合は、ガス栓付管継手がビルトインコンロ下方の収納空間内に入り込んでその収納空間の一部を専有することがないので、その収納空間での収納量を多くすることが可能となり、又、引出式の収納部を設ける場合は、その引き出し部の奥行を、ビルトインコンロ下方の収納空間における前端から後端又は後端近くまでに相当する長さにすることが可能となるので、引き出し部の奥行を長くすることができ、収納空間での収納量を多くすることが可能となる。
従って、ガス栓の操作を容易に行えるようにしながら、ビルトインコンロ下方の収納空間の収納量を多くし得るビルトインコンロの配管構造を提供することができるようになった。
【００１５】
本発明のビルトインコンロの配管構造の第３特徴構成は、トッププレートの下方に機器収納用のケーシングを備えたビルトインコンロが、取り付け対象カウンターに形成した開口を通して前記ケーシングを凹入させる状態で設置され、そのビルトインコンロの前記ケーシングに装備したガス管接続部に、ガス栓付管継手が接続されたものであって、
前記ガス栓付管継手が、側面視及び平面視において前記ケーシングに重複し且つ前記ケーシングの前面に形成した開口を通して又は前記ケーシングの下方空間を通して、ガス栓を操作可能となる状態で、前記ケーシングの底部における前方側箇所に形成した管継手用凹入部に配備されている点を特徴とする。
【００１６】
即ち、ガス栓付管継手が、側面視及び平面視においてケーシングに重複し且つケーシングの前面に形成した開口を通して又はケーシングの下方空間を通して、ガス栓を操作可能となる状態で、ケーシングの底部における前方側箇所に形成した管継手用凹入部に配備されていることから、ガス栓付管継手を、ケーシングから横方向、上方向及び前方向に出っ張らないのは勿論のこと、下方向にも出っ張らない状態で設けながらも、ケーシングの前面に形成した開口を通して又はケーシングの下方空間を通してガス栓を操作することができる。
【００１７】
つまり、ケーシングの底部における前方側箇所に、管継手用凹入部を形成して、その管継手用凹入部にガス栓付管継手を配備することにより、ガス栓付管継手を、ケーシングから横方向、上方向及び前方向に出っ張らないのは勿論のこと、下方向にも出っ張らない状態で設けることができる。
そして、ガス栓付管継手をビルトインコンロ下方の収納空間内に出っ張らないように設けることができるので、その収納空間での収納量を多くすることができる。
つまり、キャビネット式の収納部を設ける場合は、ガス栓付管継手がビルトインコンロ下方の収納空間内に入り込んでその収納空間の一部を専有することがないので、その収納空間での収納量を多くすることが可能となり、又、引出式の収納部を設ける場合は、その引き出し部の奥行を、ビルトインコンロ下方の収納空間における前端から後端又は後端近くまでに相当する長さにすることが可能となるので、引き出し部の奥行を長くすることができ、収納空間での収納量を多くすることが可能となる。
【００１８】
ガス栓を操作するに当たって、ケーシングの前面に、管継手用凹入部を開放するように開口を設けることにより、その開口を通して、ガス栓の操作を容易に行えるようにすることが可能となる。
又、ケーシングの下方空間を調理用具等の物品を収納する収納空間とするように構成する場合において、その収納空間の前方を開閉するように扉を設けて、キャビネット式の収納部を設ける場合には、その扉を開くことにより、収納空間を通してガス栓の操作を容易に行うことが可能となり、あるいは、前記収納空間に、前後方向に出退自在な引き出し部を上下複数段に設けて、引出式の収納部を設ける場合には、最上段の引き出し部を途中まで引き出すことにより、ケーシングの前面における引き出し部出退用の開口部を通して収納空間が開放されることになるので、その収納空間を通してガス栓の操作を容易に行うことが可能となる。
従って、ガス栓の操作を容易に行えるようにしながら、ビルトインコンロ下方の収納空間の収納量を多くし得るビルトインコンロの配管構造を提供することができるようになった。
【００１９】
ビルトインコンロの配管構造の第４特徴構成は、上記第３特徴構成に加えて、
前記ガス栓付管継手に接続するガス管が、側面視及び平面視にて前記ケーシングに重複する状態で、前記管継手用凹入部に連通する状態で前記ケーシングの底部に形成されたガス管用凹入部に配備されている点を特徴とする。
【００２０】
即ち、ガス栓付管継手に接続するガス管が、側面視及び平面視にてケーシングに重複する状態で、管継手用凹入部に連通する状態でケーシングの底部に形成されたガス管用凹入部に配備されているので、ガス管をも、ケーシングから下方向に出っ張らないように設けることができる。
つまり、ガス管は細長い形状であるので、そのガス管をケーシングから下方向に出っ張るように設けたとしても、ビルトインコンロ下方の収納空間での収納量の減少に与える影響は小さいものの、ガス管をケーシングから下方向に出っ張らないように設けることにより、ビルトインコンロ下方の収納空間での収納量をより一層多くすることができる。
従って、ビルトインコンロ下方の収納空間の収納量をより一層多くすることができるようになった。
【００２１】
〔ビルトインコンロについて〕
本発明のビルトインコンロの第１特徴構成は、トッププレートの下方の機器収納用のケーシングを取り付け対象カウンターに形成した開口を通して凹入させる状態で設置され、且つ、ガス栓付管継手が接続されるガス管接続部が、前記ケーシングに装備されたものであって、
前記ガス栓付管継手を凹入する状態で配備する管継手用凹入部が、前記ケーシングの底部における前方側箇所に形成され、前記ガス管接続部が、前記管継手用凹入部に臨む状態で設けられている点を特徴とする。
【００２２】
即ち、ガス栓付管継手を凹入する状態で配備する管継手用凹入部が、ケーシングの底部における前方側箇所に形成され、ガス管接続部が、管継手用凹入部に臨む状態で設けられているので、ガス栓付管継手をガス管接続部に接続した状態で管継手用凹入部に配備することにより、ガス栓付管継手を側面視及び平面視にてケーシングに重複する状態、つまり、ケーシングから横方向、上方向及び前方向に出っ張らないのは勿論のこと、ケーシングから下方向にも出っ張らない状態で設けることができる。
【００２３】
そして、ガス栓付管継手をビルトインコンロ下方の収納空間内に出っ張らないように設けることができるので、その収納空間での収納量を多くすることができる。
つまり、キャビネット式の収納部を設ける場合は、ガス栓付管継手がビルトインコンロ下方の収納空間内に入り込んでその収納空間の一部を専有することがないので、その収納空間での収納量を多くすることが可能となり、又、引出式の収納部を設ける場合は、その引き出し部の奥行を、ビルトインコンロ下方の収納空間における前端から後端又は後端近くまでに相当する長さにすることが可能となるので、引き出し部の奥行を長くすることができ、収納空間での収納量を多くすることが可能となる。
【００２４】
ガス栓を操作するに当たって、前記ケーシングの前面に、前記管継手用凹入部を開放するように開口を設けることにより、その開口を通して、ガス栓の操作を容易に行えるようにすることが可能となる。
又、ケーシングの下方空間を調理用具等の物品を収納する収納空間とするように構成する場合において、その収納空間の前方を開閉するように扉を設けて、キャビネット式の収納部を設ける場合には、その扉を開くことにより、収納空間を通してガス栓の操作を容易に行うことが可能となり、あるいは、前記収納空間に、前後方向に出退自在な引き出し部を上下複数段に設けて、引出式の収納部を設ける場合には、最上段の引き出し部を途中まで引き出すことにより、ケーシングの前面における引き出し部出退用の開口部を通して収納空間が開放されることになるので、その収納空間を通してガス栓の操作を容易に行うことが可能となる。
従って、ガス栓の操作を容易に行えるようにしながら、ビルトインコンロ下方の収納空間の収納量を多くし得るビルトインコンロを提供することができるようになった。
【００２５】
ビルトインコンロの第２特徴構成は、上記第１特徴構成に加えて、
前記ガス栓付管継手に接続するガス管を凹入する状態で配備するガス管用凹入部が、前記管継手用凹入部に連通する状態で前記ケーシングの底部に形成されている点を特徴とする。
【００２６】
即ち、ガス栓付管継手に接続するガス管を凹入する状態で配備するガス管用凹入部が、管継手用凹入部に連通する状態でケーシングの底部に形成されているので、ガス管を、管継手用凹入部に配備したガス栓付管継手に接続した状態で、ガス管用凹入部に配備することにより、ガス管をも、ケーシングから下方向に出っ張らないように設けることができる。
つまり、ガス管は細長い形状であるので、そのガス管をケーシングから下方向に出っ張るように設けたとしても、ビルトインコンロ下方の収納空間での収納量の減少に与える影響は小さいものの、ガス管をケーシングから下方向に出っ張らないように設けることにより、ビルトインコンロ下方の収納空間での収納量をより一層多くすることができる。
従って、ビルトインコンロ下方の収納空間の収納量をより一層多くすることができるようになった。
【発明を実施するための最良の形態】
【００２７】
〔第１実施形態〕
以下、図面に基づいて、第１実施形態を説明する。
図１ないし図３に示すように、ビルトインコンロＣは、トッププレート１の下方に機器収納用のケーシング２を備え、且つ、ガス栓付継手Ｔを接続するガス管接続部３を前記ケーシング２に装備して構成してある。
そして、このビルトインコンロＣは、そのケーシング２をシステムキッチンＫの取り付け対象カウンターとしてのキッチンカウンター４に形成したコンロ装着用開口５を通して凹入させる状態で設置し、都市ガス等のガス燃料が供給されるガス管６を、前記ガス栓付継手Ｔを介して前記ガス管接続部３に接続するようにしてある。
【００２８】
図１に示すように、前記システムキッチンＫのキッチンカウンター４は、ビルトインコンロＣの設置箇所、シンク（図示せず）等を含むシステムキッチンＫの上面部全体にわたるように一体的に形成してある。
そして、図１及び図３に示すように、そのキッチンカウンター４の所定箇所に、前記ビルトインコンロＣを収納し、そのビルトインコンロＣの下方空間を調理用具等の物品の収納空間とするように構成して、その収納空間に、上段の方が浅い上下２段の引き出し部７，８を前後方向に出退自在に設けてある。
つまり、ビルトインコンロＣのケーシング２の底面が、システムキッチンＫにおける上下２段の引き出し部７，８が設けられた収納空間に露出する構成となっている。
【００２９】
以下、前記ビルトインコンロＣについて説明を加える。
前記ケーシング２を、上部が略全体にわたって開口し且つ前面部の横方向の中間部にグリル用の開口部を備えた平面視で概ね矩形状の箱状に形成し、そのケーシング２の上部の開口を、矩形状の前記トッププレート１にて覆う構成としてある。
前記ケーシング２内には、その下方側における横方向の中間部に位置させて、グリル部９を設け、上方側に位置させて、３つのコンロバーナ１０を分散配置してある。
【００３０】
前記トッププレート１には、前記３つのコンロバーナ１０を各別に臨ませる３つのバーナ用開口１１、及び、前記グリル部９のグリル排気口１２を臨ませる排気用開口１３を形成してあり、そのトッププレート１を、その３つのバーナ用開口１１に３つのコンロバーナ１０を各別に臨ませ、その排気用開口１３にグリル排気口１２を臨ませた状態で、ケーシング２の上部の開口を覆うように設けてある。
前記トッププレート１の上部に、前記３つのコンロバーナ１０の夫々に対応させて、加熱用容器（鍋など）を載置する五徳１４を載置支持してある。
又、前記排気用開口１３を覆う排気口カバー１５を、着脱自在に設けてある。
【００３１】
尚、図示は省略するが、ビルトインコンロＣの下方にオーブンを設置する場合があるので、前記排気用開口１３の大きさは、前記グリル排気口１２と前記オーブンの排気口とを前記グリル排気口１２を前方に位置させて前後方向に並べた状態で臨ませることが可能な大きさに設定してある。
【００３２】
前記グリル部９は、詳細な説明及び図示を省略して、簡単に説明すると、グリル庫と、そのグリル庫を加熱するグリルバーナを備えると共に、焼き網を載置した引き出し部９ｓを前記グリル庫に対して出退自在に設けて構成してある。
【００３３】
図示は省略するが、前記ケーシング２内には、元ガス供給路を前記ガス管接続部３に接続して設けると共に、その元ガス供給路から分岐した状態で４系統の分岐ガス供給路を設け、それら４系統の分岐ガス供給路を前記３つのコンロバーナ１０と前記グリルバーナとの４つのバーナに各別に接続し、前記元ガス供給路には、４つのバーナへのガス燃料の供給を一括して断続する元ガス電磁弁を設け、各分岐ガス供給路には、各バーナへのガス燃料の供給の断続及びガス燃料の供給量の調節を行う流量制御弁を設けてある。
【００３４】
前記ケーシング２の前面には、グリル用開口部の左右両側に振り分けて、操作パネル１６を設け、その操作パネル１６には、前記コンロバーナ１０の点火、消火や火力の調整等の各種操作を行う３つのコンロ用操作部１７、及び、前記グリルバーナの点火、消火や火力の調整等の各種操作を行うグリル用操作部１８を設けてある。
【００３５】
又、図３に示すように、前記ケーシング２には、その後壁を貫通して外部に臨む状態で、オーブン経由ガス接続口２７を前記元ガス供給路に接続した状態で装備してある。つまり、図示は省略するが、ビルトインコンロＣの下方にオーブンを設置する場合は、都市ガス等のガス燃料が供給されるガス供給管を前記オーブンのガス管接続部に接続し、そのオーブンのガス管接続部から分岐したコンロ向け接続口と前記オーブン経由ガス接続口２７とをガス管６にて接続することになる。
図３中の２８は、前記オーブン経由ガス接続口２７にガス管６を接続しない場合に、そのオーブン経由ガス接続口２７を閉じる蓋体である。
【００３６】
図２ないし図４に示すように、前記ガス栓付管継手Ｔを凹入する状態で配備する管継手用凹入部２１を、前記ケーシング２の底部における前方側箇所に形成し、前記ガス管接続部３を、管継手用凹入部２１に臨む状態で設けてある。
又、前記ガス栓付管継手Ｔに接続するガス管６を凹入する状態で配備するガス管用凹入部２２を、前記管継手用凹入部２１に連通する状態で前記ケーシング２の底部に形成してある。
【００３７】
前記管継手用凹入部２１について説明を加えると、その管継手用凹入部２１は、正面視において、ケーシング２の底部の右側端部における前方側端部に相当する箇所に、前方、下方及び右方の３方向に開く状態で、概ね直方体形状に凹入するように形成してある。
その管継手用凹入部２１の大きさは、側面視及び平面視において、前記ガス栓付管継手Ｔをその全体がケーシング２に重複する状態で配設することが可能なように設定してある。
そして、前記ガス管接続部３は、ケーシング２における管継手用凹入部２１の左側の壁面を形成する部分を貫通して、その管継手用凹入部２１内に右向きに突出するように設けてある。
【００３８】
前記ガス管用凹入部２２について説明を加えると、そのガス管用凹入部２２は、ケーシング２の底部における右側端部に相当する箇所に、前記管継手用凹入部２１の後端部に連通し、且つ、後方、下方及び右方の３方向に開く状態で、ケーシング２の前後方向に沿って細長状に凹入するように形成してある。
そのガス管用凹入部２２の正面視での大きさを、前記ガス管６の縦断面積よりも大きく且つ前記管継手用凹入部２１の正面視での大きさよりも小さくして、そのガス管用凹入部２２が管継手用凹入部２１の後端部に連通するように構成してある。
【００３９】
このように、ガス管用凹入部２２の正面視での大きさを前記管継手用凹入部２１の正面視での大きさよりも小さくすることにより、これらの凹入部２１，２２によりケーシング２の内部空間を狭める範囲を極力狭くして、ケーシング２内における機器収納能力を高くするように構成してある。
【００４０】
図１及び図２に示すように、右側の操作パネル１６における右下端部に相当する箇所に、前記管継手用凹入部２１の前方側を開放するようにガス栓操作用開口１９を形成し、そのガス栓操作用開口１９、即ち、前記管継手用凹入部２１を開閉するように、ガス栓操作用扉２０を開閉操作自在に右側の操作パネル１６に設けてある。
【００４１】
次に、図３及び図４に基づいて、上述のように構成したビルトインコンロＣの配管構造について説明を加える。
このビルトインコンロＣの配管構造は、ガス栓付管継手Ｔを、側面視にて前記ケーシング２に重複する状態で配備する構造としてある。
この第１実施形態では、ガス栓付管継手Ｔを、側面視に加えて、平面視にても前記ケーシング２に重複する状態で配備する構造としてある。
具体的には、ビルトインコンロＣの配管構造は、ガス栓付管継手Ｔを、側面視及び平面視において前記ケーシング２に重複し且つ前記ケーシング２の前面に形成したガス栓操作用開口１９を通してガス栓３４を操作可能となる状態で、前記ケーシング２の底部における前方側箇所に形成した前記管継手用凹入部２１に配備する構造としてある。
又、前記ガス栓付管継手Ｔに接続する前記ガス管６を、側面視及び平面視にて前記ケーシング２に重複する状態で、前記管継手用凹入部２１に連通する状態で前記ケーシング２の底部に形成した前記ガス管用凹入部２２に配備する構造としてある。
【００４２】
図５にも示すように、前記ガス栓付管継手Ｔは、継手本体部３１の内部に、一端部をガス管側接続口３２とし且つ他端部を機器側接続口３３とするＬ字状の内部流路（図示省略）を内部に形成し、その内部流路を開閉するように前記ガス栓３４を組み付けて構成してある。
継手本体部３１の機器側接続口３３には、ガス管接続部３に形成した雄ネジ部（図示省略）に螺合可能なナット部材３５を回動自在に支持し、ガス管側接続口３２には、ガス管６の先端の雄ネジ部（図示省略）を羅入するための雌ネジ部（図示省略）を形成し、更に、継手本体部３１には、回動操作により前記ガス栓３４を開閉するための開閉操作具３６を設けてある。
【００４３】
ちなみに、前記ガス栓付管継手Ｔにおける前記機器側接続口３３、前記ガス管側接続口３２及び前記開閉操作具３６の配置形態は、前記機器側接続口３３を左側に向け且つ前記ガス管側接続口３２を後側に向けた状態で、前記開閉操作具３６が前方側に向く配置形態としてある。
【００４４】
システムキッチンＫを設置する前に、予め、そのシステムキッチンＫを設置する予定箇所の床面における壁際や壁面に沿って、都市ガス等のガス燃料が供給されるガス供給管（図示省略）に接続したガス管６を敷設する。尚、このガス管６は、金属製の管壁を蛇腹状に成形して、可撓性を有するように構成してある。
又、前記システムキッチンＫの後壁２３に、ビルトインコンロＣを設置したときにそのケーシング２のガス管用凹入部２２の後端に対向する部分に位置させて、前記ガス管６を挿通するためのガス管挿通孔２４を形成しておく。
【００４５】
システムキッチンＫを、その後壁２３のガス管挿通孔２４に、前述のように予め敷設したガス管６を挿通した状態で設置する。
そして、ビルトインコンロＣを上述のようにシステムキッチンＫに設置して、システムキッチンＫの後壁２３のガス管挿通孔２４に挿通したガス管６を、前後方向に沿わせた状態でケーシング２のガス管用凹入部２２内に配備する。
又、ガス栓付管継手Ｔを、その開閉操作具３６を前方側に向けた姿勢で、その機器側接続口３３のナット部材３５をガス管接続部３の雄ネジ部に締め付けることにより、ガス栓付管継手Ｔをガス管接続部３に保持した状態で、ケーシング２の管継手用凹入部２１に配備する。
続いて、ガス栓付管継手Ｔのガス管接続口３２の雌ネジ部にガス管６の先端の雄ネジ部を螺入する。
【００４６】
上述のように、ガス栓付管継手Ｔを管継手用凹入部２１に配備し、且つ、ガス管６をガス管用凹入部２２内に配備することにより、ガス栓付管継手Ｔの全体及びガス管６におけるガス管用凹入部２２内に配備された部分の全体が、側面視及び平面視においてケーシング２に重複する状態で配備されることになる。
つまり、ガス栓付管継手Ｔ及びガス管６をケーシング２から下方向に出っ張らない状態で設けることができることになって、ガス栓付管継手Ｔ及びガス管６がビルトインコンロ下方の収納空間内に出っ張らないので、その収納空間での収納量を多くすることができる。
つまり、前記ケーシング２の前記収納空間に、上下２段に引き出し部７，８を設ける場合、下段の引き出し部８は勿論のこと、上段の引き出し部７の奥行を、前記収納空間における前端から後端近くまでに相当する長さにすることができるので、引き出し部７，８の奥行を長くすることができ、引き出し部７，８の収納量を多くすることができる。
【００４７】
そして、図１に示すように、前記ガス栓操作用扉２０を開くと、前記ガス栓操作用開口１９が開放されて、そのガス栓操作用開口１９内に、前記ガス栓付管継手Ｔの開閉操作具３６が露出することになるので、そのガス栓操作用開口１９を通して、開閉操作具３６を容易に操作することができる。
【００４８】
以下、本発明の第２及び第３の各実施形態を説明するが、第２及び第３の各実施形態は、ビルトインコンロＣのケーシング２の構成、及び、ビルトインコンロＣの配管構造の別の実施形態を説明するものであって、ビルトインコンロＣの全体構成は第１実施形態と同様であるので、ビルトインコンロＣの全体構成の説明は省略して、主として、ビルトインコンロＣのケーシング２の構成、及び、ビルトインコンロＣの配管構造について、説明する。
【００４９】
〔第２実施形態〕
図６ないし図８に示すように、この第２実施形態でも、第１実施形態と同様に、ガス栓付管継手Ｔを凹入する状態で配備する管継手用凹入部２１を、前記ケーシング２の底部における前方側箇所に形成し、前記ガス管接続部３を、前記管継手用凹入部２１に臨む状態で設け、前記ガス栓付管継手Ｔに接続するガス管６を凹入する状態で配備するガス管用凹入部２２を、前記管継手用凹入部２１に連通する状態で前記ケーシング２の底部に形成してある。
【００５０】
但し、この第２実施形態では、前記管継手用凹入部２１及び前記ガス管用凹入部２２として機能させる兼用凹入部２５を、ケーシング２の底部における右側端部に、ケーシング２の後端から前端の手前にわたり且つ後方、下方及び右方の３方向に開く状態で、ケーシング２の前後方向に直交する断面での広さがケーシング２の前後方向に沿って略一定となる形態で凹入するように形成してある。
【００５１】
その兼用凹入部２５の正面視での大きさを、前記ガス栓付管継手Ｔの正面視での大きさ及び前記ガス管６の縦断面積よりも大きく設定してある。
そして、前記ガス管接続部３は、ケーシング２における兼用凹入部２５の上側の壁面を形成する部分の前方側箇所を貫通して、その兼用凹入部２５内に下向きに突出するように設けてある。
つまり、兼用凹入部２５における前方側の部分が前記管継手用凹入部２１に相当し、後方側の部分が前記ガス管用凹入部２２に相当する。
【００５２】
次に、上述のように構成したビルトインコンロＣの配管構造について説明を加える。
このビルトインコンロＣの配管構造は、第１実施形態と同様に、ガス栓付管継手Ｔを、側面視及び平面視にて前記ケーシング２に重複する状態で配備する構造としてあるが、ガス栓付管継手Ｔを、側面視及び平面視において前記ケーシング２に重複し且つ前記ケーシング２の下方空間を通して、ガス栓３４を操作可能となる状態で、前記ケーシング２の底部における前方側箇所に形成した前記管継手用凹入部２１に配備する構造としてある点で、第１実施形態と異なる。
又、第１実施形態と同様に、前記ガス栓付管継手Ｔに接続する前記ガス管６を、側面視及び平面視にて前記ケーシング２に重複する状態で、前記管継手用凹入部２１に連通する状態で前記ケーシング２の底部に形成した前記ガス管用凹入部２２に配備する構造としてある。
【００５３】
前記ガス栓付管継手Ｔは、前記機器側接続口３３、前記ガス管側接続口３２及び前記前記開閉操作具３６の配置形態が異なる以外は、第１実施形態と同様に構成してある。
つまり、その配置形態は、前記機器側接続口３３を上側に向け且つ前記ガス管側接続口３２を後側に向けた状態で、前記開閉操作具３６が下方側に向く配置形態としてある。
【００５４】
図７に示すように、上記の第１実施形態と同様に、前記システムキッチンＫを、その後壁２３のガス管挿通孔２４に、予め敷設したガス管６を挿通した状態で設置する。
そして、ビルトインコンロＣを第１実施形態と同様にシステムキッチンＫに設置して、システムキッチンＫの後壁２３のガス管挿通孔２４に挿通したガス管６を、前後方向に沿わせた状態でケーシング２の兼用凹入部２５内におけるガス管用凹入部２２に相当する部分に配備する。
又、ガス栓付管継手Ｔを、その開閉操作具３６を下方側に向けた姿勢で、その機器側接続口３３のナット部材３５をガス管接続部３の雄ネジ部に締め付けることにより、ガス栓付管継手Ｔをガス管接続部３に保持した状態で、ケーシング２の兼用凹入部２５における管継手用凹入部２１に相当する部分に配備する。
続いて、ガス栓付管継手Ｔのガス管接続口３２の雌ネジ部にガス管６の先端の雄ネジ部を螺入する。
【００５５】
上述のように、ガス栓付管継手Ｔ及びガス管６を兼用凹入部２５内に配備することにより、ガス栓付管継手Ｔの全体及びガス管６における兼用凹入部２５内に配備された部分の全体が、側面視及び平面視においてケーシング２に重複する状態で配備されることになる。
つまり、ガス栓付管継手Ｔ及びガス管６をケーシング２から下方向に出っ張らない状態で設けることができることになって、ガス栓付管継手Ｔ及びガス管６がビルトインコンロ下方の収納空間内に出っ張らないので、その収納空間での収納量を多くすることができる。
つまり、前記ケーシング２の前記収納空間に、上下２段に引き出し部７，８を設ける場合、下段の引き出し部８は勿論のこと、上段の引き出し部７の奥行を、前記収納空間における前端から後端近くまでに相当する長さにすることができるので、引き出し部７，８の奥行を長くすることができ、引き出し部７，８の収納量を多くすることができる。
【００５６】
そして、図１及び図７に示すように、上段側の引き出し部７を途中まで引き出すと、システムキッチンＫ内におけるビルトインコンロＣのケーシング２の下方の収納空間が、上段の引き出し部７を出退するための開口部を通して開放された状態となり、ケーシング２の下方の収納空間を通して、前記開閉操作具３６を容易に操作することができる。
【００５７】
〔第３実施形態〕
図９ないし図１１に示すように、この第３実施形態では、ガス栓付管継手Ｔを凹入する状態で配備する管継手用凹入部２６を、前記ケーシング２の後端部における右側端部箇所に、後方、上方、下方及び右方の４方向に開く状態で形成してある。
この管継手用凹入部２６の大きさは、正面視及び側面視において、前記ガス栓付管継手Ｔをその全体がケーシング２に重複する状態で配設することが可能なように設定してある。
【００５８】
そして、前記ガス管接続部３は、ケーシング２における前記管継手用凹入部２６の前方側の壁面を形成する部分を貫通して、その管継手用凹入部２６内に後ろ向きに突出するように設けてある。尚、このガス管接続部３は、前記オーブン経由ガス接続口２７に兼用するように構成してある。
【００５９】
前記トッププレート１は、前記管継手用凹入部２６の上方の全体を覆うことが可能な矩形状に形成すると共に、そのトッププレート１に、前記排気用開口１３を、前記管継手用凹入部２６の上方にもわたるように形成してある。
図１０に示すように、その排気用開口１３に前記グリル排気口１２を臨ませた状態で、その排気用開口１３におけるグリル排気口１２よりも後方側の部分に、前記オーブンの排気口を臨ませることが可能なスペースが形成されるように構成してある。
【００６０】
次に、上述のように構成したビルトインコンロＣの配管構造について説明を加える。
この第３実施形態では、ガス栓付管継手Ｔを、正面視において前記ケーシング２に重複する状態で配備する構造としてある。
具体的には、ビルトインコンロＣの配管構造は、ガス栓付管継手Ｔを、正面視において前記ケーシングに重複し且つ前記トッププレート１に形成の前記排気用開口１３を通してガス栓３４を操作可能となる状態で、前記ケーシング２の背部に配備する構造としてある。
【００６１】
前記ガス栓付管継手Ｔは、前記機器側接続口３３、前記ガス管側接続口３２及び前記前記開閉操作具３６の配置形態が異なる以外は、第１実施形態と同様に構成してある。
つまり、その配置形態は、前記機器側接続口３３を下側に向け且つ前記ガス管側接続口３２を後側に向けた状態で、前記開閉操作具３６が上方側に向く配置形態としてある。
【００６２】
図１１に示すように、上記の第１実施形態と同様に、前記システムキッチンＫを、その後壁２３のガス管挿通孔２４に、予め敷設したガス管６を挿通した状態で設置し、そのように設置したシステムキッチンＫに第１実施形態と同様にビルトインコンロＣを設置する。
そして、前記ガス管接続口３に、エルボ２９をその一端側が上向きになる状態で接続して、ガス栓付管継手Ｔを、その開閉操作具３６を上方側に向けた姿勢で、その機器側接続口３３のナット部材３５を前記エルボ２９の雄ネジ部に締め付けることにより、ガス栓付管継手Ｔをガス管接続部３に保持した状態で、ケーシング２の前記管継手用凹入部２６、即ち、前記ケーシング２の背部に配備する。
又、ガス栓付管継手Ｔのガス管接続口３２の雌ネジ部に、システムキッチンＫの後壁２３のガス管挿通孔２４に挿通したガス管６の先端の雄ネジ部を螺入する。
【００６３】
このように、ガス栓付管継手Ｔを管継手用凹入部２６内に配備することにより、ガス栓付管継手Ｔを、その全体が正面視において前記ケーシングに重複し且つ前記トッププレート１に形成の前記排気用開口１３を通してガス栓３４を操作可能となる状態で、前記ケーシング２の背部に配備されることになる。
つまり、ガス栓付管継手Ｔ及びガス管６をケーシング２から下方向に出っ張らない状態で設けることができることになって、ガス栓付管継手Ｔ及びガス管６がビルトインコンロ下方の収納空間内に出っ張らないので、その収納空間での収納量を多くすることができる。
つまり、前記ケーシング２の前記収納空間に、上下２段に引き出し部７，８を設ける場合、下段の引き出し部８は勿論のこと、上段の引き出し部７の奥行を、前記収納空間における前端から後端近くまでに相当する長さにすることができるので、引き出し部７，８の奥行を長くすることができ、引き出し部７，８の収納量を多くすることができる。
【００６４】
そして、図１０に示すように、前記排気口カバー１５を取り外すと、前記トッププレート１の排気用開口１３を通して前記開閉操作具３６が露出することになり、その排気用開口１３を通して開閉操作具３６を容易に操作することができる。
【００６５】
〔別実施形態〕
次に別実施形態を説明する。
（イ）  ガス栓付管継手Ｔを側面視にてケーシング２に重複する状態で配備する配管構造としては、上記の第１及び第２の各実施形態において例示した構造、即ち、側面視に加えて、平面視にてもケーシング２に重複する状態で配備する構造に限定されるものではなく、側面視のみにてケーシング２に重複する状態で配備する構造でも良い。
例えば、ケーシング２の左右いずれかの側端部における前方側部分を横方向に突出させて、その突出部の後方の空スペースにガス栓付管継手Ｔを配備する構造でも良い。この場合は、ケーシング２の下方空間を通してガス栓付管継手Ｔを操作可能に構成する。
あるいは、ケーシング２の横幅を取り付け対象カウンターの下方における横方向の規定の設置スペースよりも幅狭に構成して、その規定の設置スペース内に形成される空スペースの前方側箇所にガス栓付管継手Ｔに配備する構造でも良い。この場合は、操作パネル１６を、前記規定の設置スペース全体を覆うように形成して、その操作パネル１６に開口を形成することによりその開口を通してガス栓付管継手Ｔを操作可能に構成したり、ケーシング２の下方空間を通してガス栓付管継手Ｔを操作可能に構成する。
【００６６】
又、ガス栓付管継手Ｔを側面視及び平面視にてケーシング２に重複する状態で配備する構造としては、上記の第１及び第２の各実施形態において例示した構造、即ち、ケーシング２の底部の左右いずれかの側端部における前方側箇所に形成した管継手用凹入部２１に配備する構造に限定されるものではない。
例えば、ケーシング２の左右いずれかの側端部の上下方向中間部における前方側箇所に形成した管継手用凹入部に配備する構造でも良い。この場合は、ケーシング２の前面に、前記管継手用凹入部に連通する開口を形成して、その開口を通してガス栓３４を操作可能なように構成する。
【００６７】
（ロ）  ガス栓付管継手Ｔを正面視においてケーシング２に重複する状態で配備する配管構造としては、上記の第３実施形態において例示した構造、即ち、正面視において前記ケーシング２に重複する状態で、前記ケーシング２の背部に配備する構造に限定されるものではない。
例えば、正面視において前記ケーシング２に重複する状態で、前記ケーシング２の左右いずれかの側端部における前後方向の中間部に形成した管継手用凹入部に配備する構造でも良い。この場合、トッププレート１に、前記管継手用凹入部に連通する開口部を形成して、その開口部を通してガス栓３４を操作可能なように構成する。
【００６８】
（ハ）  上記の第１及び第２の各実施形態において、ガス管接続部３をオーブン経由ガス接続口２７に兼用するように構成して、ケーシング２の後壁に装備したオーブン経由ガス接続口２７を省略しても良い。
【００６９】
（ニ）  上記の第１及び第２の各実施形態においては、ガス栓付管継手Ｔを直接にガス管接続部３に接続する場合について例示したが、ガス栓付管継手Ｔを、エルボや可撓性を有するガス管等を介してガス管接続部３に接続しても良い。
【００７０】
（ホ）  ガス栓付管継手Ｔとしては、上記の各実施形態において例示した構造のもの以外に、種々の構造のものを用いることが可能である。
例えば、一端部をガス管側接続口３２とし且つ他端部を機器側接続口３３とする直線状の内部流路を備えたものを用いることができる。
【００７１】
（ヘ）  上記の各実施形態においては、システムキッチンＫの上面部全体にわたるように一体的に形成したキッチンカウンター４を取り付け対象カウンターとして、ビルトインコンロＣを設置する場合について例示したが、シンク等と分離した状態で製作されるコンロ設置キャビネットのカウンターを取り付け対象カウンターとして、ビルトインコンロＣを設置することができる。
【図面の簡単な説明】
【００７２】
【図１】第１実施形態に係るビルトインコンロをシステムキッチンに設置した状態を示す斜視図
【図２】第１実施形態に係るビルトインコンロ及びその配管構造を示す斜視図
【図３】第１実施形態に係るビルトインコンロ及びその配管構造を示す縦断右側面図
【図４】第１実施形態に係るビルトインコンロの配管構造を示す要部の正面図
【図５】ガス栓付管継手を示す斜視図
【図６】第２実施形態に係るビルトインコンロ及びその配管構造を示す斜視図
【図７】第２実施形態に係るビルトインコンロ及びその配管構造を示す縦断右側面図
【図８】第２実施形態に係るビルトインコンロの配管構造を示す要部の縦断正面図
【図９】第３実施形態に係るビルトインコンロ及びその配管構造を示す斜視図
【図１０】第３実施形態に係るビルトインコンロ及びその配管構造を示す要部の斜視図
【図１１】第３実施形態に係るビルトインコンロ及びその配管構造を示す縦断右側面図
【符号の説明】
【００７３】
１    トッププレート
２    ケーシング
３    ガス管接続部
４    取り付け対象カウンター
５    開口
６    ガス管
１３  排気用開口
１９  開口
２１  管継手用凹入部
２２  ガス管用凹入部
３４  ガス栓
Ｃ    ビルトインコンロ
Ｔ    ガス栓付管継手
【図１】
2007298224.tif 000003
【図２】
2007298224.tif 000004
【図３】
2007298224.tif 000005
【図４】
2007298224.tif 000006
【図５】
2007298224.tif 000007
【図６】
2007298224.tif 000008
【図７】
2007298224.tif 000009
【図８】
2007298224.tif 000010
【図９】
2007298224.tif 000011
【図１０】
2007298224.tif 000012
【図１１】
2007298224.tif 000013